(57)【要約】投射型テレビジョンシステムにおける陰極線管（ＣＲＴ）の簡素化したとブラケット構造は、１対のブラケットであって、各ブラケットを、２個のねじ又はボルトを使用する圧縮構成によってＣＲＴを取付シャーシに保持する１対の細長シートメタルよりなるブラケットとしたことを特徴とする。
2004530934.tif 000002
【特許請求の範囲】
【請求項１】
陰極線管（ＣＲＴ）を投射型テレビジョンシステムの結合体に圧縮的に固定する構成物品において、
第１ばねと、
第２ばねと、
第１ばね及び第２ばねをともに結合する機械的固定手段と、
前記第１ばねを結合体に取り付ける第１取付手段と、
ＣＲＴを組み合わせばね構成に固定する第２取付手段と
を具えたことを特徴とする構成物品。
【請求項２】
前記第１ばね及び第２ばねをシートメタルにより構成した請求項１記載の構成物品。
【請求項３】
前記第１ばね及び第２ばねを第１平面内で細長形状とした請求項１記載の構成物品。
【請求項４】
前記第１ばねを第２平面内でほぼＵ字状とし、両側の端部で取付フランジとして終端させた請求項３記載の構成物品。
【請求項５】
前記第２ばねを、順次隣接して接合した少なくとも５個のセグメント即ち、
境界部分で第２セグメントに終端する第１側方セグメントと、
前記第１側方セグメントから角度をなす方向に指向する第２セグメントであって、側方かつ垂直方向に移行して境界部分で第３セグメントに終端する第２セグメントと、
側方にかつ前記第１セグメントに平行に移行して境界部分で第４セグメントに終端する第３セグメントと、
第３セグメントに対して角度をなす方向に移行する第４セグメントと、
この第４セグメントに隣接し、前記第１セグメントと同一の軸線方向に指向する第５セグメントと
を有してほぼ台形の形状とした請求項３記載の構成物品。
【請求項６】
前記機械的固定手段は、
第１ばね及び第２ばねの各々の中間ポイントで各ばねに貫通する少なくとも１個の環状体と、
前記第１ばね及び第２ばねをともにほぼ半永久的に取り付ける少なくとも１個の固定装置と
を有するものとした請求項１記載の構成物品。
【請求項７】
前記固定装置を、ねじ、保持ナット付きボルトよりなるグループから選択した１個又はそれ以上のものにより構成した請求項６記載の構成物品。
【請求項８】
前記第１取付手段を、ねじ、保持ナット付きボルトよりなるグループから選択した１個又はそれ以上のものにより構成した請求項１記載の構成物品。
【請求項９】
前記第２取付手段を、前記第２ばねとＣＲＴの表面との管に配置する少なくとも１個の弾性スペーサパッドにより構成した請求項１記載の構成物品。
【請求項１０】
前記ＣＲＴと結合体との間に並置する弾性シールを設けて互いの側方移動を抑制した請求項１記載の構成物品。
【請求項１１】
陰極線管（ＣＲＴ）を投射型テレビジョンシステムにおけるシャーシの結合体に取り付ける装置装置であって、張力を付与した少なくとも第１ブラケット及び第２ブラケットを具え、これらブラケットが前記ＣＲＴの後面に圧縮力を加る構成とした取付装置において、前記張力を付与したブラケットを、
第１ばね素子と、
第２ばね素子と、
前記第１ばね素子及び第２ばね素子を互いに結合する第１固定手段と、
前記第１ばね素子を前記結合体に取り付ける第２取付手段と、
前記第２ばね素子をＣＲＴに圧縮的に取り付ける第３取付手段と
により構成したことを特徴とする取付装置。
【請求項１２】
前張力を付与した第１ブラケット及び第２ブラケットをそれぞれ対称形状にした請求項１１記載の取付装置。
【請求項１３】
前張力を付与した第１ブラケット及び第２ブラケットをそれぞれ非対称形状にした請求項１１記載の取付装置。
【発明の詳細な説明】
【技術分野】
【０００１】
本発明は、投射型テレビジョン（ＰＴＶ）、特に、ＰＴＶシャーシに陰極線管を取り付ける取付ブラケットに関するものである。
【背景技術】
【０００２】
従来の投射型テレビジョン（ＰＴＶ）の用途では、ＣＲＴの首部の周りにカラー（つば）を生ずる形状の押し抜き金属ブラケットを使用し、４個の圧縮ばねによって所定いに保持するようＣＲＴを取付シャーシに固定するのが一般的であった。このような取付構造では、更に、各ばねの一方の端部をブラケットに固定する４個の肩付きボルトを設け、各ばねの他方の端部をシャーシの取付ポイントに固定するものであった。
【発明の開示】
【発明が解決しようとする課題】
【０００３】
しかし、ＣＲＴを取付シャーシに固定するのに必要な組立ステップ及び構成部材のコストと数は、最適ではなかった。更に、この取付構造の寸法は、接地電位の金属ブラケットが物理的に高圧の陽極ブーツに近接させ、絶縁ブーツがずれたり、経時劣化した場合にＰＴＶを電弧にさらすことになるという欠点があった。
【課題を解決するための手段】
【０００４】
投射型テレビジョンシステムにおける陰極線管（ＣＲＴ）の簡素化したとブラケット構造は、１対のブラケットであって、各ブラケットを、２個のねじ又はボルトを使用する圧縮構成によってＣＲＴを取付シャーシに保持する１対の細長シートメタルよりなるブラケットとしたことを特徴とする。シートメタルばねは、２個のばねを互いに連結したとき、第１ばねをシャーシの結合体に取り付け第２ばねをＣＲＴの後面に圧着し、このＣＲＴの結合体に対する固定状態を保持するようにする。２個のブラケットはＣＲＴの漏斗状部の両側に配置し、ＣＲＴを半剛性的に保持する。
【実施例】
【０００５】
図１は、本発明取付構造を使用して固定した投射型テレビジョンシステム（ＰＴＶ）の陰極線管（ＣＲＴ）１０を示す。第１ばね１２及び第２ばね１４を合体させてブラケット１６を構成する。第２ブラケット１６を、ＣＲＴの漏斗状部の反対側に取り付ける。この構成のばね１２，１４に使用する材料の例としては、シートメタル、スチール、プラスチック等とすることができ、取付手段は、１個又は２個のねじ１８、ナット付きボルト、又はリベットを使用し、２個のばねの中間ポイントで互いに堅固に整列させて保持すると好適である。
【０００６】
Ｕ字状形状の第１ばね１２は、両側の端部に取付フランジ２０を有し、この取付フランジ２０により堅固なシャーシ又は結合体２２に対して各フランジ２０に設けた取付孔に挿通するねじ又はナット付きボルト２４を介して半永久的に連結する。第２ばね１４は、張力を付与した５個のセグメントを有する複雑な台形形状とし、図１に示すように形成し、最初と最後のセグメントは、存在するＣＲＴ１０に設けた１個又はそれ以上の弾性境界面をなす小さいパッド２６に平行で共通軸線に沿って存在する。各セグメント相互の接合部分は鋭利又は「滑らか」な形状とすることができ、ただし、ＣＲＴ１０を所定位置に保持する必要な張力を生ずるものとする。
【０００７】
この「フラット」表面整合構成は、セグメントの突出端部がパッド２６に貫通してＣＲＴ１０を損傷することがないようにする点で好適である。角度付きセグメント２８，３０によって生ずる張力は、落下又は衝突したりするときのような振動発生時にＣＲＴ１０を保持するのに十分なものとすべきである。更に、パッド付きシール３２により、壊れ易いＣＲＴ１０と堅固な結合体２２との間のクッションを生じ、ブラケット１６によってＣＲＴ１０の漏斗状部に加わる圧力を軽減する。シール３２は、斜め落下等を生じたときに、ＣＲＴ１０のいかなる側方ずれも防止するよう十分に締め付けておく。
【０００８】
図２は、図１に示すと同様の相互に補完し合う１対のブラケット３６，３８を使用してＰＴＶのＣＲＴ３４を取り付ける実施例の斜視図を示す。ＣＲＴが円形を帯びていると仮定して、ブラケットはＣＲＴの漏斗部の周りに対称的に配置し、結合体２２に連結する。ブラケット３６の構成要素は、分かり易くするため符号付きにし、また、図１につき詳述したように、第１ばね１２、第２ばね１４、弾性境界面のパッド３６、及びＣＲＴ１０を設ける。
【０００９】
本発明の好適な実施例の主な利点は、仕上がった細長ブラケットが、従来のＣＲＴ取付構造よりも小さく、かつ部品点数が少なく、これに付随して製造材料の内容も減少し、組立時間も減少する。更に、システムの信頼性及び安全性も改善される。これは、即ち、より小さくなった寸法のブラケットにより、接地した金属ブラケット１６と高圧のＣＲＴ陽極コネクタとの間のクリアランスが大きくなるからである。
【００１０】
上述の実施例とは異なる他の材料及び張力発生形状を使用してブラケット１６を製造することができる。更に、取付構造及び詳細も変更して他の材料、他の機械的固定装置及び／又は構成部材を使用することができ、これらも本発明の範囲内である。
【００１１】
上述の観点から、当業者であれば、本発明の種々の変更及び改変した実施例も明らかであろう。従って、本明細書の記載は単に例示に過ぎず、当業者に本発明の最良の実施の形態を教示するものである。上述の実施例の詳細は本発明の精神から逸脱することなく変更でき、特許請求の範囲内に納まるすべての変更例の排他的使用は留保される。
【図面の簡単な説明】
【００１２】
【図１】本発明による取付構造に使用して取り付ける投射型テレビジョンシステムの陰極線管の説明図である。
【図２】図１に示す１対の補完し合うブラケットを使用して取り付けるＰＴＶＣＲＴの斜視図である。
【国際公開パンフレット】
2004530934.tif 000003
2004530934.tif 000004
2004530934.tif 000005
2004530934.tif 000006
2004530934.tif 000007
2004530934.tif 000008
2004530934.tif 000009
2004530934.tif 000010
【国際調査報告】
2004530934.tif 000011
2004530934.tif 000012
2004530934.tif 000013